(57)【特許請求の範囲】
【請求項１】
毛髪が付着した繊維製品から毛髪を除去するための繊維製品用毛髪除去剤であって、
（Ａ）ニトリロ三酢酸及びエチレンジアミン四酢酸から選択された少なくとも１種の金属封鎖剤、（Ｂ）水酸化ナトリウム及び水酸化カリウムから選択された少なくとも１種のアルカリ金属水酸化物、及び（Ｃ）オルトケイ酸塩及びメタケイ酸塩から選択された少なくとも１種のケイ酸塩を含有してなり、
前記（Ａ）金属封鎖剤、（Ｂ）アルカリ金属水酸化物、及び（Ｃ）ケイ酸塩の含有割合が重量比で、（Ａ）／（Ｂ）＝４／１〜１／４であり、（Ａ）／（Ｃ）＝９／１〜１／９であり、かつ（Ｂ）／（Ｃ）＝９／１〜１／９であり、かつ
前記（Ａ）成分、（Ｂ）成分及び（Ｃ）成分の合計含有量が０．０１〜２重量％である水溶液として使用される
ことを特徴とする、繊維製品用毛髪除去剤。
【請求項２】
請求項１に記載の繊維製品用毛髪除去剤を水に溶解させて、前記（Ａ）成分、（Ｂ）成分及び（Ｃ）成分の合計含有量が０．０１〜２重量％である水溶液を調製し、
この水溶液を４０〜７０℃に加熱して毛髪が付着した繊維製品を浸漬する工程を含むことを特徴とする繊維製品の毛髪除去方法。
【発明の詳細な説明】
【技術分野】
【０００１】
本発明は、毛髪除去剤および毛髪除去方法に関する。
【背景技術】
【０００２】
おしぼりなどの商業的に使用される繊維製品は、使用後に回収し、洗浄工程を経て、再度利用されている。これらの繊維製品は、使用時に毛髪が付着することが多く、洗浄工程において、手作業での除去工程が必要であった。
【０００３】
特に、おしぼりに代表される湿潤状態で出荷される繊維製品は、毛髪が自然に除去される可能性が極めて低いため、手作業での毛髪除去工程を避けることができず、処理効率が非常に低い。
【０００４】
これに対し、特許文献１には、洗浄工程において、アルカリ性薬剤単独、またはこれと過酸化物系酸化剤を併用して洗濯することにより、毛髪を除去する方法が開示されている。
【０００５】
しかしながら、この方法では、毛髪は目立たなくなるが、完全には除去できないという問題がある。また、薬剤の使用量が多く、繊維の強度を短期間に低下させるため、繊維製品再利用の回数が大幅に減少することがわかった。
【先行技術文献】
【特許文献】
【０００６】
【特許文献１】特開平７−４８５９４号公報
【発明の概要】
【発明が解決しようとする課題】
【０００７】
本発明は、上記に鑑みてなされたものであり、毛髪除去性に優れ、短時間で処理できるため作業性に優れ、しかも繊維製品の強度低下が顕著に抑制される毛髪除去剤及びこれを用いた毛髪除去方法を提供することを目的とする。
【課題を解決するための手段】
【０００８】
本発明の毛髪除去剤は、毛髪が付着した繊維製品から毛髪を除去するための繊維製品用毛髪除去剤であって、上記の課題を解決するために、（Ａ）ニトリロ三酢酸及びエチレンジアミン四酢酸から選択された少なくとも１種の金属封鎖剤、（Ｂ）水酸化ナトリウム及び水酸化カリウムから選択された少なくとも１種のアルカリ金属水酸化物、及び（Ｃ）オルトケイ酸塩及びメタケイ酸塩から選択された少なくとも１種のケイ酸塩を含有してなり、上記（Ａ）金属封鎖剤、（Ｂ）アルカリ金属水酸化物、及び（Ｃ）ケイ酸塩の含有割合が重量比で、（Ａ）／（Ｂ）＝４／１〜１／４であり、（Ａ）／（Ｃ）＝９／１〜１／９であり、かつ（Ｂ）／（Ｃ）＝９／１〜１／９であり、かつ上記（Ａ）成分、（Ｂ）成分及び（Ｃ）成分の合計含有量が０．０１〜２重量％である水溶液として使用されるものとする。
【００１０】
本発明の繊維製品の毛髪除去方法は、上記本発明の繊維製品用毛髪除去剤を水に溶解させて、上記（Ａ）成分、（Ｂ）成分及び（Ｃ）成分の合計含有量が０．０１〜２重量％である水溶液を調製し、この水溶液を４０〜７０℃に加熱して毛髪が付着した繊維製品を浸漬する工程を含むものとする。
【発明の効果】
【００１１】
本発明の毛髪除去剤および毛髪除去方法によれば、洗濯時に、繊維の強度の低下させることなく、効率的に毛髪を除去できる。従って、粘着テープ等による手作業での毛髪除去工程を省くことができ、作業性を大幅に向上させることができる。
【発明を実施するための形態】
【００１２】
１．毛髪除去剤
本発明の毛髪除去剤は、上記の通り、（Ａ）金属封鎖剤、（Ｂ）アルカリ金属水酸化物、および（Ｃ）ケイ酸塩を必須成分として含有する。これらについて、以下に詳述する。
【００１３】
（Ａ）金属封鎖剤
本発明の毛髪除去剤は、金属封鎖剤を適量配合することにより、優れた毛髪除去性が得られる。本発明で用いる金属封鎖剤とは、鉄イオン、銅イオンなどの洗浄に悪影響を及ぼす重金属イオンを封鎖する作用を有するキレート剤であり、酸性を示すキレート剤が好ましい。キレート剤としては、例えば、アミノポリカルボン酸、ホスホン酸またはホスホノカルボン酸、リン酸、有機酸、ポリカルボン酸、アミノ酸等と、これらのアルカリ金属塩、アルカリ土類金属塩、アンモニウム塩、若しくはアルカノールアミン塩等が挙げられる。これらの中でも、ニトリロ三酢酸、エチレンジアミン四酢酸が好適に用いられる。これら金属封鎖剤は、１種を単独で用いてもよく、２種以上を混合して用いてもよい。
【００１４】
（Ｂ）アルカリ金属水酸化物
アルカリ金属水酸化物も、適量配合することにより、毛髪除去性を向上させる。アルカリ金属水酸化物の例としては、水酸化ナトリウム、水酸化カリウムが挙げられ、これらアルカリ金属水酸化物は、１種を単独で用いてもよく、２種以上を混合して用いてもよい。
【００１５】
（Ｃ）ケイ酸塩
ケイ酸塩は、適量配合することによって、繊維の脆化防止性向上に寄与する。ケイ酸塩の例としては、メタケイ酸ナトリウムなどのメタケイ酸塩、オルトケイ酸ナトリウムなどのオルトケイ酸塩が挙げられ、中でも、安価であり、取扱いも容易であることから、メタケイ酸ナトリウムなどのメタケイ酸塩が好ましい。これらケイ酸塩も、単独で用いてもよく、２種以上を混合して用いてもよい。
【００１６】
上記（Ａ）金属封鎖剤、（Ｂ）アルカリ金属水酸化物、および（Ｃ）ケイ酸塩の配合割合（以下、いずれも重量比）は、毛髪除去性が優れる点から、（Ａ）／（Ｂ）＝４／１〜１／４が好ましく、３／２〜２／３がより好ましい。また、やはり毛髪除去性が優れる点から、（Ａ）／（Ｃ）＝９／１〜１／９が好ましく、４／１〜４／３がより好ましい。さらに、繊維の脆化防止性が優れる点から、（Ｂ）／（Ｃ）＝９／１〜１／９が好ましく、４／１〜４／３がより好ましい。
【００１７】
（Ｄ）漂白剤及びその他の成分
本発明の毛髪除去剤には、上記以外の成分として、過酸化水素などの酸素系漂白剤、次亜塩素酸ナトリウムなどの塩素系漂白剤を必要に応じて使用することができる。漂白剤を使用する場合のその使用量は、特に限定されないが、通常は１０〜５０重量％程度である。
【００１８】
なお、漂白剤は本発明の毛髪除去剤に配合してもよく、毛髪除去剤の水溶液を調製する際に添加することもできる。
【００１９】
また、本発明の目的を離れない範囲であれば、再汚染防止剤、抗菌剤、蛍光剤等の繊維用洗浄剤に通常含まれる添加物を含有させることもできる。
【００２０】
本発明の毛髪除去剤は、上記（Ａ）〜（Ｃ）成分、及び必要に応じて使用される漂白剤等の他の添加物を混合することにより得られる。
【００２１】
２．毛髪除去方法
本発明の毛髪除去方法は、上記各成分からなる本発明の毛髪除去剤を水に溶解させて水溶液にして使用する。水溶液の上記（Ａ）〜（Ｃ）成分の濃度は、（Ａ）〜（Ｃ）各成分の総量（固形分）で０．０１〜２重量％が好ましく、０．１〜１重量％がより好ましい。
【００２２】
本発明の毛髪除去方法は、毛髪が付着した繊維製品を上記本発明の毛髪除去剤の水溶液に浸漬する工程を含み、必要に応じて、浸漬したまま静置してもよく、撹拌や振とう等の機械的処理を加えてもよい。
【００２３】
浸漬の際の水溶液の温度は特に限定されず、１０〜８０℃の低〜中温度域でも優れた毛髪除去効果が得られるが、タンパク質であることから、４０〜７０℃が好ましい。撹拌洗浄又は浸漬する時間は、特に限定されないが、実用性を考えると２０〜３０分間程度が好ましい。
【００２４】
浸漬工程後は繊維製品を絞り、水で十分にすすぐのが好ましい。すすぎの後は、繊維製品の使用目的等に応じて乾燥し、あるいは湿潤状態のまま次の工程に供すればよい。
【００２５】
本発明による毛髪除去対象物は特に限定されないが、典型的には、おしぼり、モップ、マットなどのダストコントロール用製品、シーツ・シーツカバーなどのリネン製品などの繊維製品が該当する。
【実施例】
【００２６】
以下、実施例により本発明をさらに具体的に説明するが、本発明は以下の実施例に限定されるものではない。なお、以下において、特に言及しない限り、配合量等は重量基準とする。
【００２７】
［実施例１〜７、比較例１〜６］
（Ａ）金属封鎖剤、（Ｂ）アルカリ金属水酸化物、（Ｃ）ケイ酸塩、および、必要に応じて（Ｄ）酸素系漂白剤または塩素系漂白剤を水に溶解し、各成分が表１に記載の濃度で含まれる毛髪除去剤の水溶液を調製し、表に示した所定の温度に調整した。表１に示した各使用薬剤の詳細は以下の通りである。
【００２８】
（Ａ）金属封鎖剤
ニトリロ三酢酸（商品名：キレスト３ＮＴＡ、キレスト（株）製）
エチレンジアミン四酢酸（商品名：キレスト２Ｄ、キレスト（株）製）
（Ｂ）アルカリ金属水酸化物
水酸化ナトリウム
水酸化カリウム
（Ｃ）ケイ酸塩
メタケイ酸ナトリウム（商品名：メタケイ酸ソーダ５水塩、石田化学工業（株）製）
オルトケイ酸ナトリウム（商品名：オルソケイ酸ソーダ、石田化学工業（株）製）
（Ｄ）その他の成分
酸素系漂白剤：３５重量％過酸化水素水
塩素系漂白剤：１２重量％次亜塩素酸ナトリウム水溶液
【００２９】
ターゴトメーター（商品名：ターゴトメーター  型番ＴＭ−４、（株）大栄科学精器製作所製）に綿金巾（３０ｃｍ×３０ｃｍ）と長さ５ｃｍの人毛０．１ｇとを入れ、ここに、綿金巾／毛髪除去剤の水溶液＝１／３３（重量比）となるように毛髪除去剤の水溶液を入れ、１００ｒｐｍの条件で１５分間洗濯した。洗濯後は１分間脱水し、すすぎと脱水を２回繰り返し、自然乾燥させた。なお、上記「すすぎ」は、綿金巾／水＝１／３３（重量比）となる割合で水を入れ、１回につき２分間撹拌することにより行った。
【００３０】
上記より得られた綿金巾につき、毛髪除去性、生地の脆化を下記の方法で評価を行った。
【００３１】
＜評価方法＞
（毛髪除去性）
目視にて観察し、毛髪の有無を確認した。  
○：毛髪が残っていない。  
×：毛髪が残っている。
【００３２】
（生地の強度（脆化防止））
綿金巾の１片を固定し、反対側片の中央部分に、重さ５ｋｇの分銅をつけてから、生地が裁断されるまでの時間を測定した。  
◎：２０分以上裁断なし。  
○：１０分では裁断しないが、２０分までに裁断する。  
×：１０分未満で裁断する。
【００３３】
【表１】
0005689381.tif 000002
【００３４】
表１に示されたように、実施例のものはいずれも、繊維の脆弱化を防止しつつ、毛髪除去効果に優れることが確認された。一方、比較例のものはいずれも十分な毛髪除去効果が得られず、また、比較例４を除き、生地の脆弱化も顕著であった。
【産業上の利用可能性】
【００３５】
本発明の毛髪除去剤および毛髪除去方法は、例えば、おしぼり、モップ、マットなどのダストコントロール用製品、シーツ・シーツカバーなどのリネン製品などの繊維製品から毛髪を除去するために用いられる。